(57)【特許請求の範囲】
【請求項１】
第１の基地局および第２の基地局を含む複数の基地局のうちの第１の基地局から周期を示す情報を受信し、当該周期に従って前記第１の基地局および前記第２の基地局の少なくともいずれかから参照信号を受信する受信部と、
前記周期に従って到来する各タイミングにおける受信電力を測定する測定部と、
前記測定部による測定結果を送信する送信部と、
を備え、
前記周期に従って到来する各タイミングには、前記第１の基地局および第２の基地局の双方が参照信号を送信するタイミング、および、前記第１の基地局および第２の基地局のうちの一方のみが参照信号を送信するタイミングが混在する、通信装置。
【請求項２】
前記送信部は、前記測定部による前記測定結果を、前記測定部が測定を行ったタイミングを示す情報と共に送信する、請求項１に記載の通信装置。
【請求項３】
前記周期を示す情報は、各参照信号に対するサブフレーム設定情報を含む、請求項１に記載の通信装置。
【請求項４】
前記参照信号は、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）である、請求項１に記載の通信装置。
【請求項５】
前記複数の基地局は、ＲＲＨ（Ｒｅｍｏｔｅ  Ｒａｄｉｏ  Ｈｅｄ）基地局を含む、請求項１に記載の通信装置。
【請求項６】
前記第２の基地局は、ＲＲＨ（Ｒｅｍｏｔｅ  Ｒａｄｉｏ  Ｈｅｄ）基地局に対応する、請求項１に記載の通信装置。
【請求項７】
前記複数の基地局は、同一のセルＩＤを有する、請求項１に記載の通信装置。
【請求項８】
第１の基地局および第２の基地局を含む複数の基地局のうちの第１の基地局から周期を示す情報を受信し、当該周期に従って前記第１の基地局および前記第２の基地局の少なくともいずれかから参照信号を受信することと、
前記周期に従って到来する各タイミングにおける受信電力を測定することと、
前記受信電力の測定結果を送信することと、
を含み、
前記周期に従って到来する各タイミングには、前記第１の基地局および第２の基地局の双方が参照信号を送信するタイミング、および、前記第１の基地局および第２の基地局のうちの一方のみが参照信号を送信するタイミングが混在する、通信方法。
【請求項９】
他の基地局がＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を送信する周期を示す情報を受信する受信部と、
前記周期に従って到来するタイミングのうち、前記他の基地局からの指定に基づき、一部のタイミングにおいてはＣＳＩ−ＲＳを送信せず、他のタイミングにおいてはＣＳＩ−ＲＳを送信する送信部と、
を備える、基地局。
【請求項１０】
前記基地局は、ＲＲＨ（Ｒｅｍｏｔｅ  Ｒａｄｉｏ  Ｈｅｄ）基地局に対応する、請求項９に記載の基地局。
【請求項１１】
他の基地局が参照信号を送信する周期を示す情報を受信することと、
前記周期に従って到来するタイミングのうち、前記他の基地局によって特定された一部のタイミングにおいては参照信号を送信せず、他のタイミングにおいては参照信号を送信することと、
を含む、通信方法。
【発明の詳細な説明】
【技術分野】
【０００１】
本発明は、通信装置、通信方法、プログラムおよび通信システムに関する。
【背景技術】
【０００２】
近日、無線通信のさらなるパフォーマンスの向上を達成するために、第４世代のセルラーシステム（４Ｇ）が検討されている。この４Ｇにおいては、リレー技術、キャリアアグリゲーション、およびＣｏＭＰ（Ｃｏｏｒｄｉｎａｔｅｄ  Ｍｕｌｔｉｐｌｅ  Ｐｏｉｎｔ  ｔｒａｎｓｍｉｓｓｉｏｎ  ａｎｄ  ｒｅｃｅｐｔｉｏｎ）などの技術が注目されている。
【０００３】
リレー技術は、基地局（例えば、マクロセル基地局）と通信端末間の通信をリレーノードが中継する技術であり、基地局のセルエッジにおけるスループットを向上するために重要である。また、キャリアアグリゲーションは、２０ＭＨｚのバンド幅を有する複数の周波数帯をまとめて扱うことにより、利用バンド幅の広域化（例えば、２０ＭＨｚ×５＝１００ＭＨｚ）および最大スループットの向上を実現する技術である。また、ＣｏＭＰは、ＣｏＭＰセットと呼ばれる複数の基地局が連携して通信端末とデータ通信するための技術であり、高いデータレートで通信可能なカバレッジを拡張することが可能である。なお、ＣｏＭＰについては、例えば特許文献１に記載されている。
【０００４】
また、４Ｇでは、Ｈｏｍｅ  ｅＮｏｄｅＢ（フェムトセル基地局、携帯電話用小型基地局）、ＲＲＨ（リモートラジオヘッド）およびピコｅＮｏｄｅＢなど、マクロｅＮｏｄｅＢ以外の基地局の導入によりカバレッジを向上させることも検討されている。
【先行技術文献】
【特許文献】
【０００５】
【特許文献１】特開２０１１−０９１７８５
【発明の概要】
【発明が解決しようとする課題】
【０００６】
このように、ＲＲＨやマクロｅＮｏｄｅＢなどの多様な基地局が散在するＨｅｔｅｒｏｇｅｎｅｏｕｓな環境においては、ＣｏＭＰセットもダイナミックに変化することが予想される。しかし、Ｈｅｔｅｒｏｇｅｎｅｏｕｓな環境下におけるＣｏＭＰセットの決定方法については十分な検討がなされていない。
【０００７】
そこで、本開示では、通信端末との通信のために用いる基地局の組合せを適切に決定するための、新規かつ改良された通信装置、通信方法、プログラムおよび通信システムを提案する。
【課題を解決するための手段】
【０００８】
本開示によれば、同一のセルＩＤを有する複数の基地局のうちの一部の基地局のみから特定の信号を送信するタイミングを示す情報を受信する受信部と、前記タイミングにおける受信電力を測定する測定部と、前記測定部による測定結果を送信する送信部と、を備える通信装置が提供される。
【０００９】
また、本開示によれば、同一のセルＩＤを有する複数の基地局のうちの一部の基地局のみから特定の信号を送信するタイミングを示す情報を受信することと、前記タイミングにおける受信電力を測定することと、前記受信電力の測定結果を送信することと、を含む通信方法が提供される。また、本開示によれば、コンピュータを、同一のセルＩＤを有する複数の基地局のうちの一部の基地局のみから特定の信号を送信するタイミングを示す情報を受信する受信部と、前記タイミングにおける受信電力を測定する測定部と、前記測定部による測定結果を送信する送信部と、として機能させるためのプログラムが提供される。
【００１０】
また、本開示によれば、同一のセルＩＤを有する複数の基地局のうちの一部の基地局のみから特定の信号を送信するタイミングを設定する設定部を有する通信制御装置と、前記タイミングを示す情報を受信する受信部、前記タイミングにおける受信電力を測定する測定部、および、前記測定部による測定結果を送信する送信部、を有する通信装置と、を備え、前記通信制御装置は、さらに、前記通信装置からの測定結果に基づき、前記通信装置へ信号を送信するために用いる基地局の組合せを前記複数の基地局から決定する決定部を有する、通信システムが提供される。
【発明の効果】
【００１１】
以上説明したように本開示によれば、通信端末との通信のために用いる基地局の組合せを適切に決定することが可能となる。
【図面の簡単な説明】
【００１２】
【図１】本開示の実施形態による通信システムの構成を示した説明図である。
【図２】４Ｇのフレームフォーマットを示した説明図である。
【図３】ＣｏＭＰの実施形態の一例を示した説明図である。
【図４】ＣｏＭＰの実施形態の一例を示した説明図である。
【図５】第１の実施形態によるｅＮｏｄｅＢおよびＲＲＨの構成を示した機能ブロック図である。
【図６】ＡＢＳに設定されたサブフレームを示す説明図である。
【図７】ＡＢＳおよびＭＢＳＦＮ（Ｍｕｌｔｉｍｅｄｉａ  Ｂｒｏａｄｃａｓｔ  ｍｕｌｔｉｃａｓｔ  Ｓｉｎｇｌｅ  Ｆｒｅｑｕｅｎｃｙ  Ｎｅｔｗｏｒｋ）に設定されたサブフレームを示す説明図である。
【図８】ＡＢＳの設定例を示した説明図である。
【図９】ＡＢＳの設定例を示した説明図である。
【図１０】基地局をグループ化した場合のＡＢＳの設定例を示した説明図である。
【図１１】ＲＳＲＰ保持部が保持する情報の一例を示した説明図である。
【図１２】第１の実施形態によるＵＥの構成を示した機能ブロック図である。
【図１３】通信システムの動作を示したフローチャートである。
【図１４】ＡＢＳの設定方法の変形例を示した説明図である。
【図１５】本開示の第２の実施形態によるｅＮｏｄｅＢおよびＲＲＨの構成を示した機能ブロック図である。
【図１６】ＣＳＩ−ＲＳの挿入周期の具体例を示した説明図である。
【図１７】ＲＲＨをグループ化した場合のＣＳＩ−ＲＳの挿入周期の設定例を示した説明図である。
【図１８】第２の実施形態によるＵＥの構成を示した機能ブロック図である。
【図１９】通信システムの動作を示したフローチャートである。
【図２０】ＣＳＩ−ＲＳの挿入周期の変形例を示した説明図である。
【図２１】第２の変形例によるＣＳＩ−ＲＳ＋Ｅｎｈａｎｃｅｄ＿Ｍｕｔｉｎｇを示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてＲＲＨ３０Ａ、３０Ｂおよび３０Ｃのように区別する。ただし、実質的に同一の機能構成を有する複数の構成要素の各々を特に区別する必要がない場合、同一符号のみを付する。例えば、ＲＲＨ３０Ａ、３０Ｂおよび３０Ｃを特に区別する必要が無い場合には、単にＲＲＨ３０と称する。
【００１５】
また、以下に示す項目順序に従って本開示を説明する。
１．通信システムの全体構成
２．第１の実施形態
２−１．基地局の構成
２−２．ＵＥの構成
２−３．通信システムの動作
２−４．変形例
３．第２の実施形態
３−１．ＣＳＩ−ＲＳについて
３−２．基地局の構成
３−３．ＵＥの構成
３−４．通信システムの動作
３−５．第１の変形例
３−６．第２の変形例
４．むすび
【００１６】
＜１．通信システムの全体構成＞
本開示による技術は、一例として「２．第１の実施形態」〜「３．第２の実施形態」において詳細に説明するように、多様な形態で実施され得る。また、各実施形態による通信装置（ＵＥ２０）は、
Ａ．同一のセルＩＤを有する複数の基地局のうちの一部の基地局のみから特定の信号を送信するタイミングを示す情報を受信する受信部（アンテナ群２０４など）と、
Ｂ．上記前記タイミングにおける受信電力を測定する測定部（ＤＬ信号検出部２３０）と、
Ｃ．上記測定部による測定結果を送信する送信部（アンテナ群２０４など）と、
を備える。
【００１７】
以下では、まず、このような各実施形態において共通する基本構成について図１および図２を参照して説明する。
【００１８】
（通信システムの全体構成）
図１は、本開示の実施形態による通信システム１の構成を示した説明図である。図１に示したように、本開示の実施形態による通信システム１は、ｅＮｏｄｅＢ１０と、コアネットワーク１２と、ＵＥ（Ｕｓｅｒ  Ｅｑｕｉｐｍｅｎｔ）２０と、複数のＲＲＨ３０Ａ〜３０Ｆと、を備える。
【００１９】
ＵＥ２０は、ｅＮｏｄｅＢ１０などの基地局により割り当てられたダウンリンク用のリソースブロックにおいて受信処理を行い、アップリンク用のリソースブロックにおいて送信処理を行う通信装置である。
【００２０】
このＵＥ２０は、例えば、図１に示したようなスマートフォンであってもよいし、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。さらに、ＵＥ２０は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの移動通信装置であってもよい。
【００２１】
ｅＮｏｄｅＢ１０は、カバレッジに含まれるＵＥ２０と通信する無線基地局である（本明細書においては、特段の記載が無い場合、ｅＮｏｄｅＢ１０はＭａｃｒｏ＿ｅＮｏｄｅＢを指す。）。また、ｅＮｏｄｅＢ１０は、例えば光ファイバーのような通信路を介して複数のＲＲＨ３０Ａ〜３０Ｆと接続されている。したがって、ｅＮｏｄｅＢ１０は、ダウンリンク信号をＲＲＨ３０にこの通信路を介して送信し、ＲＲＨ３０からＵＥ２０にダウンリンク信号を送信させることや、ＲＲＨ３０によりＵＥ２０から受信されたアップリンク信号をＲＲＨ３０から受信することができる。さらに、ｅＮｏｄｅＢ１０は、これら複数のＲＲＨ３０Ａ〜３０Ｆと連携してＣｏＭＰ通信を行うことも可能である。ＣｏＭＰ通信の詳細については後述する。なお、図１においては記載を省略しているが、実際には多数のｅＮｏｄｅＢ１０がコアネットワーク１２に接続される。
【００２２】
コアネットワークは、ＭＭＥ（Ｍｏｂｉｌｉｔｙ  Ｍａｎａｇｅｍｅｎｔ  Ｅｎｔｉｔｙ）やサービングＧＷ（Ｇａｔｅｗａｙ）などの管理ノードを含む事業者側のネットワークである。ＭＭＥは、データ通信用のセッションの設定、開放やハンドオーバーの制御を行う装置である。このＭＭＥは、ｅＮｏｄｅＢ１０とＸ２と呼ばれるインタフェースを介して接続される。Ｓ−ＧＷは、ユーザデータのルーティング、転送などを行う装置である。
【００２３】
ＲＲＨ３０は、ｅＮｏｄｅＢ１０と比較して小さい電力でＵＥ２０と通信を行う無線基地局である。具体的には、ＲＲＨ３０は、ｅＮｏｄｅＢ１０と光ファイバーのような通信路を介して接続されており、この通信路を介してｅＮｏｄｅＢ１０から受信したダウンリンク信号をＵＥ２０に送信する。また、ＲＲＨ３０は、ＵＥ２０から受信したアップリンク信号を、上記通信路を介してｅＮｏｄｅＢ１０に送信する。本開示による通信システム１は、このようなＲＲＨ３０を有することにより、カバレッジやセルエッジ付近での品質向上を実現することが可能である。
【００２４】
（フレーム構成）
続いて、上述したｅＮｏｄｅＢ１０などの基地局と、ＵＥ２０との間で共有される無線フレームについて説明する。
【００２５】
図２は、４Ｇのフレームフォーマットを示した説明図である。図２に示したように、１０ｍｓの無線フレームは、１０個の１ｍｓのサブフレーム＃０〜＃９から構成されている。各サブフレームは、１２サブキャリア×１４ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルからなる１つのリソースブロックであり、スケジューリングの割り当てはこのリソースブロック単位で行われる。なお、１ＯＦＤＭシンボルは、ＯＦＤＭ変調方式の通信方式で用いられる単位であり、１回のＦＦＴ（Ｆａｓｔ  Ｆｏｕｒｉｅｒ  Ｔｒａｎｓｆｏｒｍ）で処理されたデータを出力する単位である。
【００２６】
また、図２に示したように、各サブフレームは制御領域およびデータ領域からなる。制御領域は、先頭の１〜３ＯＦＤＭシンボルからなり（図２においては、制御領域が３ＯＦＤＭシンボルである例を示している。）、ＰＤＣＣＨ（Ｐｈｙ  ＤｏｗｎＬｉｎｋ  Ｃｏｎｔｒｏｌ  Ｃｈａｎｎｅｌ）と呼ばれる制御信号の送信のために用いられる。また、制御領域に続くデータ領域は、ＰＤＳＣＨ（Ｐｈｙ  ＤｏｗｎＬｉｎｋ  Ｓｈａｒｅｄ  Ｃｈａｎｎｅｌ）と呼ばれるユーザデータなどの送信のために用いられる。
【００２７】
さらに、制御領域およびデータ領域には、Ｃｅｌｌ−ｓｐｅｃｉｆｉｃなリファレンス信号であるＣＲＳ（Ｃｅｌｌ−ｓｐｅｃｉｆｉｃ  Ｃｏｍｍｏｎ  ｒｅｆｅｒｅｎｃｅ  ｓｉｇｎａｌ）が配置される。ＵＥ２０は、このＣＲＳを受信することによりチャネル推定を行い、チャネル推定結果に基づいてＰＤＳＣＨなどの復号処理を行うことが可能である。
【００２８】
（ＣｏＭＰについて）
次に、本開示に関連するＣｏＭＰについて説明する。ＣｏＭＰは、ＣｏＭＰセットと呼ばれる複数の基地局が連携してＵＥ２０とデータ通信するための技術であり、高いデータレートで通信可能なカバレッジを拡張することが可能である。このＣｏＭＰは、Ｊｏｉｎｔ  Ｐｒｏｃｅｓｓｉｎｇと、Ｃｏｏｒｄｉｎａｔｅｄ  Ｓｃｈｅｄｕｌｉｎｇ  ａｎｄ／ｏｒ  Ｂｅａｍｆｏｒｍｉｎｇに大別される。
【００２９】
前者のＪｏｉｎｔ  Ｐｒｏｃｅｓｓｉｎｇは、複数の基地局が同時に１のＵＥ２０とデータ通信する技術である。例えば、図３に示したように、ｅＮｏｄｅＢ１０、ＲＲＨ３０Ａ〜３０Ｆが同時にＵＥ２０にデータ送信する例がＪｏｉｎｔ  Ｐｒｏｃｅｓｓｉｎｇに該当する。このＪｏｉｎｔ  Ｐｒｏｃｅｓｓｉｎｇによれば、データ通信に複数の基地局のブランチ（アンテナおよびアナログ回路（無線処理部））を利用できるので、アンテナ利得およびＳＩＮＲを向上することができる。
【００３０】
なお、ダウンリンクのＪｏｉｎｔ  Ｐｒｏｃｅｓｓｉｎｇを行う場合、ＵＥ２０への送信データを、基地局間の例えばバックホールと呼ばれる有線の通信路を利用して、ＲＲＨ３０Ａ〜３０Ｆへ事前に分配しておく必要がある。また、アップリンクのＪｏｉｎｔ  Ｐｒｏｃｅｓｓｉｎｇは、ＵＥ２０から複数の基地局により受信されたデータを統合することにより行われる。
【００３１】
データ統合の方法としては、例えば、各基地局による復号後のビットレベルでデータを統合する方法、各基地局によるデコード前のソフトビットの段階でデータを統合する方法、各基地局によるデマッピング前のデータを統合する方法などが挙げられる。各基地局でより後段の復調処理をしてからデータを統合するほど、バックホールを介して交換されるデータ量は増加するが、性能は向上する傾向がある。
【００３２】
後者のＣｏｏｒｄｉｎａｔｅｄ  Ｓｃｈｅｄｕｌｉｎｇ  ａｎｄ／ｏｒ  Ｂｅａｍｆｏｒｍｉｎｇは、データ送信は１の基地局のみが行い、スケジューリング（各ＵＥ２０に割り当てるリソースブロックを決定する制御）を複数の基地局で協調して行う技術である。このＣｏｏｒｄｉｎａｔｅｄ  Ｓｃｈｅｄｕｌｉｎｇ  ａｎｄ／ｏｒ  Ｂｅａｍｆｏｒｍｉｎｇによれば、複数の基地局間の干渉をスケジューリング調整により容易に回避することができる。
【００３３】
本開示による技術は、上記の２種類のＣｏＭＰのうち、特に前者のＪｏｉｎｔ  Ｐｒｏｃｅｓｓｉｎｇに焦点を当ててなされたものである。このＪｏｉｎｔ  Ｐｒｏｃｅｓｓｉｎｇは、Ｎｏｎ−ｃｏｆｅｒｅｎｔｌｙなＪｏｉｎｔ  Ｐｒｏｃｅｓｓｉｎｇと、ｃｏｆｅｒｅｎｔｌｙなＪｏｉｎｔ  Ｐｒｏｃｅｓｓｉｎｇとに大別される。
【００３４】
ｃｏｆｅｒｅｎｔｌｙなＪｏｉｎｔ  Ｐｒｏｃｅｓｓｉｎｇは、各基地局から通信端末２０に到達するデータの位相が揃うように、各基地局からのデータの送信タイミングを調整する方法である。一方、Ｎｏｎ−ｃｏｆｅｒｅｎｔｌｙなＪｏｉｎｔ  Ｐｒｏｃｅｓｓｉｎｇは、各基地局からのデータの送信タイミングを調整しないで各基地局がデータを送信する方法である。したがって、ｃｏｆｅｒｅｎｔｌｙなＪｏｉｎｔ  Ｐｒｏｃｅｓｓｉｎｇの方がＮｏｎ−ｃｏｆｅｒｅｎｔｌｙなＪｏｉｎｔ  Ｐｒｏｃｅｓｓｉｎｇにより性能が高い。しかし、ｃｏｆｅｒｅｎｔｌｙなＪｏｉｎｔ  Ｐｒｏｃｅｓｓｉｎｇを行うためには、通信端末２０ごとに各基地局１０の送信タイミングの調整量を算出する必要があるので、処理が煩雑になる点で不利である。
【００３５】
（ＣｏＭＰセットについて）
ＣｏＭＰセットは、３ＧＰＰで用いられている用語であり、ＣｏＭＰを行うために協力して送信を行う基地局の組合せを意味する。通常は、３台程度のｅＮｏｄｅＢ１０がＣｏＭＰセットを構成することが想定される。一方、Ｐｉｃｏ＿ｅＮｏｄｅＢ、Ｈｏｍｅ＿ｅＮｏｄｅＢ、およびＲＲＨ＿ｅＮｏｄｅＢ（本明細書においては、単にＲＲＨと称する。）などのセルがオーバレイするＨｅｔｅｒｏｇｅｎｅｏｕｓな環境下では、５台または１０台のように３台以上の基地局がＣｏＭＰセットを構成し、かつ、ＣｏＭＰセットがダイナミックに変化することが予想される。
【００３６】
ところで、ＵＥ２０によって各基地局との距離が異なるので、ＵＥ２０ごとに最適なＣｏＭＰセットは異なる。したがって、ＵＥ２０ごとに最適なＣｏＭＰセットを決定することが重要である。例えば、基地局は、ＵＥ２０が各基地局にフレーム同期して取得したＣＲＳのＲＳＲＰ（Ｒｅｆｅｒｅｎｃｅ  Ｓｉｇｎａｌ  Ｒｅｃｅｉｖｅｄ  Ｐｏｗｅｒ）の報告を受け、ＵＥ２０から報告された複数の基地局からＲＳＲＰの大きい基地局を選択することによりＣｏＭＰセットを決定することが可能である。
【００３７】
（セルＩＤとＣｏＭＰの関係）
上述したＭａｃｒｏ＿ｅＮｏｄｅＢ１０は、通常、Ｍａｃｒｏ＿ｅＮｏｄｅＢ１０ごとに異なるセルＩＤを有する。同様に、ＲＲＨ３０も、ＲＲＨ３０ごとに異なるセルＩＤを有することが想定されていた。しかし、近日、あるＭａｃｒｏ＿ｅＮｏｄｅＢ１０に属する複数のＲＲＨ３０が、Ｍａｃｒｏ＿ｅＮｏｄｅＢ１０と同一のセルＩＤを共有するシナリオも検討されている。この場合、Ｍａｃｒｏ＿ｅＮｏｄｅＢ１０および複数のＲＲＨ３０が同じ信号を送信するので、セルゲインが向上しないというデメリットの一方で、ＲＲＨ３０のセル間干渉が生じず、また、ＣｏＭＰを実施し易いというメリットがある。
【００３８】
（本実施形態の着眼点）
上述したように、ｅＮｏｄｅＢ１０および全てのＲＲＨ３０が同一のセルＩＤを有する場合、セルＩＤとＣＲＳのようなリファレンス信号は１対１で対応するので、ｅＮｏｄｅＢ１０および各ＲＲＨ３０が送信するＣＲＳも同一になると考えられる。このため、ＵＥ２０は、各ＲＲＨ３０からのＣＲＳのＲＳＳＰを測定して報告しようとしても、ＣＲＳの送信元を区別することが困難である。したがって、ｅＮｏｄｅＢ１０がＵＥ２０に最適なＣｏＭＰセットを選択することも困難である。その結果、図３に示すように、ｅＮｏｄｅＢ１０および全てのＲＲＨ３０がＵＥ２０に対してＣｏＭＰを行うことが考えられる。
【００３９】
図３は、ＣｏＭＰの実施形態の一例を示した説明図である。図３に示したように、ｅＮｏｄｅＢ１０および全てのＲＲＨ３０がＵＥ２０に対してＣｏＭＰを行う場合、ＵＥ２０は、ｅＮｏｄｅＢ１０および全てのＲＲＨ３０から同一の信号を受信することにより受信品質を向上する。
【００４０】
しかし、詳細に検討すると、ＵＥ２０の遠方に存在するＲＲＨ３０Ｄおよび３０Ｅからの受信電力は低いので、ＲＲＨ３０Ｄおよび３０Ｅからの信号送信はＵＥ２０の受信品質の向上にさほど寄与しない。むしろ、ＲＲＨ３０Ｄおよび３０Ｅからの信号送信は、近隣への干渉波となるので、システム全体のスループット低下の原因になると考えられる。
【００４１】
したがって、理想的には、図４に示すように、ＵＥ２０の受信品質の向上に寄与する一部のＲＲＨ３０（例えば、ＲＲＨ３０Ａおよび３０Ｂ）のみを用いてＣｏＭＰを行うことが望まれる。しかし、上述したようにＵＥ２０にとって最適なＣｏＭＰセットを選択する手段が存在しなかった。この点に関し、Ｒｅｌ８、９、１０の従来のＵＥは各ＲＲＨから同じ信号が送信されることを期待しているので、仮に、各ＲＲＨ３０が、同一のセルＩＤを有するにもかかわらず各ＲＲＨを区別できるような信号を送信してしまうと、互換性を保てなくなってしまう。
【００４２】
そこで、上記事情を一着眼点にして本開示の各実施形態を創作するに至った。本開示の各実施形態によれば、ＵＥ２０における各ＲＲＨ３０のＲＳＲＰを得ることにより、ＵＥ２０にとって最適なＣｏＭＰセットを決定することが可能である。以下、このような本開示の各実施形態について詳細に説明する。
【００４３】
＜２．第１の実施形態＞
（２−１．基地局の構成）
図５は、第１の実施形態によるｅＮｏｄｅＢ１０−１およびＲＲＨ３０の構成を示した機能ブロック図である。図５に示したように、各ＲＲＨ３０は、アンテナ群３０４および無線処理部３１０を備え、ｅＮｏｄｅＢ１０−１から光ファイバーを介して供給されるダウンリンク信号を第１の実施形態によるＵＥ２０−１に送信する。また、各ＲＲＨ３０は、ＵＥ２０−１から受信されたアップリンク信号をｅＮｏｄｅＢ１０−１に光ファイバーを介して供給する。なお、各ＲＲＨ３０は、ｅＮｏｄｅＢ１０−１と同一のセルＩＤを有し、同一のＣｅｌｌ−ｓｐｅｃｉｆｉｃなリファレンス信号（例えば、ＣＲＳ）を送信する。
【００４４】
また、ｅＮｏｄｅＢ１０−１は、図５に示したように、アンテナ群１０４と、無線処理部１１０と、ＤＡ／ＡＤ変換部１２０と、ＵＬ（アップリンク）信号検出部１３０と、スケジューラ１４０と、ＤＬ（ダウンリンク）信号生成部１５０と、ＡＢＳ設定保持部１６０と、ＲＳＲＰ保持部１７０と、ＣｏＭＰセット決定部１８０と、を備える。なお、ＡＢＳ（Ａｌｍｏｓｔ  Ｂｌａｎｋ  Ｓｕｂｆｒａｍｅ）は、３ＧＰＰのＲｅｌ１０での採用が決まっている技術であり、ＡＢＳとは、ほとんどの送信が停止されるサブフレーム。例えば、ＡＢＳに設定されたサブフレームでは、ＰＤＣＣＨとＣＲＳのみが送信される。第１の実施形態は、このＡＢＳに着目してなされたものである。
【００４５】
アンテナ群１０４は、ＵＥ２０−１から無線信号を受信して電気的な高周波信号を取得し、高周波信号を無線処理部１１０へ供給する。また、アンテナ群１０４は、無線処理部１１０から供給される高周波信号に基づいて無線信号をＵＥ２０−１に送信する。ｅＮｏｄｅＢ１０−１は、このように複数のアンテナからなるアンテナ群１０４を備えるため、ＭＩＭＯ通信やダイバーシティ通信を行うことが可能である。
【００４６】
無線処理部１１０は、増幅、フィルタリング、およびダウンコンバージョンなどのアナログ処理を行うことにより、アンテナ群１０４から供給される高周波信号をベースバンド信号（アップリンク信号）に変換する。また、無線処理部１１０は、ＤＡ／ＡＤ変換部１２０から供給されるベースバンド信号（ダウンリンク信号）を高周波信号に変換する。
【００４７】
ＤＡ／ＡＤ変換部１２０は、無線処理部１１０から供給されるアナログ形式のアップリンク信号をデジタル形式に変換し、ＵＬ信号検出部１３０に供給する。また、ＤＡ／ＡＤ変換部１２０は、ＤＬ信号生成部１５０から供給されるデジタル形式のダウンリンク信号をアナログ形式に変換し、無線処理部１１０に供給する。
【００４８】
また、ＤＡ／ＡＤ変換部１２０には、ＤＬ信号生成部１５０から各ＲＲＨ３０のためのダウンリンク信号が供給される。このため、ＤＡ／ＡＤ変換部１２０は、これら各ＲＲＨ３０のためのダウンリンク信号をアナログ形式に変換し、該当するＲＲＨ３０に光ファイバーを介して供給する。同様に、ＤＡ／ＡＤ変換部１２０は、各ＲＲＨ３０から光ファイバーを介してアップリンク信号が供給され、このアップリンク信号をデジタル形式に変換してＵＬ信号検出部１３０に供給する。
【００４９】
ＵＬ信号検出部１３０は、ＤＡ／ＡＤ変換部１２０から供給されるアップリンク信号から、ＰＵＣＣＨのような制御信号や、ＰＵＳＣＨのようなユーザデータを検出する。特に、本実施形態によるＵＬ信号検出部１３０は、ＤＡ／ＡＤ変換部１２０から供給されるアップリンク信号から、ＵＥ２０−１におけるＣＲＳ測定により得られたＲＳＲＰの測定結果を検出する。なお、ＲＳＲＰの測定結果は、ＰＵＳＣＨに含まれていてもよい。
【００５０】
スケジューラ１４０は、ｅＮｏｄｅＢ１０−１、各ＲＲＨ３０およびＵＥ２０−１が通信するためのリソースをスケジューリングする。特に、本実施形態によるスケジューラ１４０は、ＡＢＳ設定保持部１６０によりＡＢＳが設定されている基地局（ｅＮｏｄｅＢ１０−１、または各ＲＲＨ３０）およびサブフレーム位置に基づいてスケジューリングを行う。また、スケジューラ１４０は、ＣｏＭＰセット決定部１８０によって決定されたＵＥ２０−１に対するＣｏＭＰセットを用いてＵＥ２０−１との通信をスケジューリングする。
【００５１】
ＤＬ信号生成部１５０は、ｅＮｏｄｅＢ１０−１および各ＲＲＨ３０から送信するためのダウンリンク信号を生成する。具体的には、ＤＬ信号生成部１５０は、スケジューラ１４０によるスケジューリングに従い、ＰＤＣＣＨおよびＰＤＳＣＨなどを生成する。さらに、本実施形態によるＤＬ信号生成部１５０は、ｅＮｏｄｅＢ１０−１および各ＲＲＨ３０について、ＡＢＳ設定保持部１６０によりＡＢＳに指定されたサブフレーム位置をＡＢＳに設定する。なお、ＰＤＣＣＨまたはＰＤＳＣＨは、ＡＢＳ設定保持部１６０により設定されたＡＢＳに関する情報を含んでもよい。ここで、図６および図７を参照し、ＡＢＳに設定されたサブフレームについて詳細に説明する。
【００５２】
図６は、ＡＢＳに設定されたサブフレームを示す説明図である。図６に示したように、ＡＢＳに設定されたサブフレームでは、データ領域においてＰＤＳＣＨが送信されない。一方、ＰＤＣＣＨ、およびデータ領域内のＣＲＳ（リファレンス信号）の送信は停止しない。
【００５３】
図７は、ＡＢＳおよびＭＢＳＦＮ（Ｍｕｌｔｉｍｅｄｉａ  Ｂｒｏａｄｃａｓｔ  ｍｕｌｔｉｃａｓｔ  Ｓｉｎｇｌｅ  Ｆｒｅｑｕｅｎｃｙ  Ｎｅｔｗｏｒｋ）に設定されたサブフレームを示す説明図である。図７に示したように、サブフレームに対してＡＢＳおよびＭＢＳＦＮの双方を設定すると、制御領域内のＣＲＳ以外の全ての送信を停止することができる。本実施形態では、詳細については後述するように、ＡＢＳおよびＭＢＳＦＮをｅＮｏｄｅＢ１０−１および各ＲＲＨ３０に設定することにより、ＵＥ２０−１における各ＲＲＨ３０のＲＳＲＰを得ることが可能となる。
【００５４】
ここで、図５を参照してｅＮｏｄｅＢ１０−１の構成の説明に戻ると、ＡＢＳ設定保持部１６０は、ｅＮｏｄｅＢ１０−１およびＲＲＨ３０Ａ〜３０Ｆの少なくともいずれかのサブフレームに対してＡＢＳ（ＭＢＳＦＮを含んでもよい。以下同様。）を設定する。そして、ＡＢＳ設定保持部１６０は、ＡＢＳを設定したサブフレームを示す情報と、ＡＢＳが設定される基地局を示す情報を対応付けて保持する。
【００５５】
より詳細には、ＡＢＳ設定保持部１６０は、ｅＮｏｄｅＢ１０−１およびＲＲＨ３０Ａ〜３０Ｆのうちの１または２以上の基地局を除いて、同一のサブフレームにＡＢＳを設定する。これにより、ＡＢＳが設定されたサブフレームにおいては、１または２以上の基地局のみがデータ領域内でＣＲＳを送信することになる。以下、図８〜図１０を参照し、このようなＡＢＳの設定についてより具体的に説明する。
【００５６】
図８は、ＡＢＳの設定例を示した説明図である。図８の１段目に示したように、ＲＲＨ３０Ａを除くｅＮｏｄｅＢ１０−１およびＲＲＨ３０Ｂ〜３０Ｆに対し、無線フレーム＃Ｍ〜＃Ｎのサブフレーム＃３でＡＢＳを設定すると、図９の上段に示したように、無線フレーム＃Ｍ〜＃Ｎのサブフレーム＃３のデータ領域ではＲＲＨ３０ＡのみがＣＲＳを送信する。
【００５７】
同様に、図８の２段目に示したように、ＲＲＨ３０Ｂを除くｅＮｏｄｅＢ１０−１、ＲＲＨ３０ＡおよびＲＲＨ３０Ｃ〜３０Ｆに対し、無線フレーム＃Ｎ＋１〜＃Ｏのサブフレーム＃３でＡＢＳを設定すると、図９の下段に示したように、無線フレーム＃Ｎ＋１〜＃Ｏのサブフレーム＃３のデータ領域ではＲＲＨ３０ＢのみがＣＲＳを送信する。このような設定を繰り返すことにより、ＲＲＨ３０Ａ〜３０Ｆの各々のみがデータ領域でＣＲＳを送信するサブフレームを発生させることができる。
【００５８】
なお、上記では１のＲＲＨ３０のみを除いてＡＢＳを設定する例を説明したが、本実施形態はかかる例に限定されない。例えば、ＡＢＳ設定保持部１６０は、ｅＮｏｄｅＢ１０−１およびＲＲＨ３０Ａ〜３０Ｆを２以上の基地局グループにグループ化し、いずれかの基地局グループを除いてＡＢＳを設定してもよい。以下、図１０を参照してより具体的に説明する。
【００５９】
図１０は、基地局をグループ化した場合のＡＢＳの設定例を示した説明図である。図１０に示したように、ＡＢＳ設定保持部１６０は、ＲＲＨ３０Ａ〜３０Ｆを、ＲＲＨ３０Ａ〜３０Ｃからなる基地局グループと、ＲＲＨ３０Ｄ〜３０Ｆからなる基地局グループにグループ分けしてもよい。この場合、ＡＢＳ設定保持部１６０は、ｅＮｏｄｅＢ１０−１およびＲＲＨ３０Ｄ〜３０Ｆからなる基地局グループに対して無線フレーム＃Ｍ〜＃Ｎのサブフレーム＃３でＡＢＳを設定することにより、当該サブフレーム＃３のデータ領域でＲＲＨ３０Ａ〜３０Ｃからなる基地局グループのみにＣＲＳを送信させることができる。
【００６０】
同様に、図１０の下段に示したように、ＡＢＳ設定保持部１６０は、ｅＮｏｄｅＢ１０−１およびＲＲＨ３０Ａ〜３０Ｃからなる基地局グループに対して無線フレーム＃Ｎ＋１〜＃Ｏのサブフレーム＃３でＡＢＳを設定することにより、当該サブフレーム＃３のデータ領域でＲＲＨ３０Ｄ〜３０Ｆからなる基地局グループのみにＣＲＳを送信させることができる。これにより、詳細については後述するが、ＵＥ２０−１におけるＲＳＲＰの測定結果が良好だった方の基地局グループをＣｏＭＰセットとして決定することが可能となる。
【００６１】
さらに、ＡＢＳ設定保持部１６０は、ＵＥ２０−１におけるＲＳＲＰの測定結果が良好だった方の基地局グループが判別した後、当該基地局グループを構成する各ＲＲＨ３０のＲＳＲＰを取得できるようにＡＢＳを設定してもよい。かかる構成によれば、ＵＥ２０−１におけるＲＳＲＰが良好なＲＲＨ３０を段階的に特定していくことができるので、所要時間や効率の観点から効果的である。
【００６２】
ここで、図５を参照してｅＮｏｄｅＢ１０−１の構成の説明に戻ると、ＲＳＲＰ保持部１７０は、ＵＬ信号検出部１３０によって検出されたＵＥ２０−１におけるＲＳＲＰの測定結果を、ＵＥ２０−１による測定タイミング（例えば、無線フレーム番号および／またはサブフレーム番号）を対応付けて保持する。
【００６３】
図１１は、ＲＳＲＰ保持部１７０が保持する情報の一例を示した説明図である。ＡＢＳ設定保持部１６０が例えば図８に示すようにＡＢＳを設定した場合、ＲＳＲＰ保持部１７０は、ＵＥ２０−１からのフィードバックに基づき、図１１に示すような情報を保持する。具体的には、ＲＳＲＰ保持部１７０は、ＲＲＨ３０ＡのみからＣＲＳが送信されるようにＡＢＳが設定された無線フレーム＃Ｍ〜＃Ｎと、当該無線フレームでＵＥ２０−１により測定されたＲＳＲＰを対応付けて保持する。同様に、ＲＳＲＰ保持部１７０は、いずれかのＲＲＨ３０のみからＣＲＳが送信されるようにＡＢＳが設定された無線フレーム番号と、当該無線フレームでＵＥ２０−１により測定されたＲＳＲＰを対応付けて保持する。
【００６４】
ＣｏＭＰセット決定部１８０は、各ＵＥ２０−１とＣｏＭＰを行うためのＣｏＭＰセットを決定する。具体的には、ＣｏＭＰセット決定部１８０は、ＲＳＲＰ保持部１７０に保持された各無線フレームにおけるＲＳＲＰがどのＲＲＨ３０のＲＳＲＰであるかを、ＡＢＳ設定保持部１６０に保持されているＡＢＳの設定情報と照合することにより判断する。そして、ＣｏＭＰセット決定部１８０は、各ＲＲＨ３０のＲＳＲＰに基づいてＵＥ２０−１に適するＣｏＭＰセットを決定する。
【００６５】
例えば、ＣｏＭＰセット決定部１８０は、ＲＳＲＰが良好な方から所定数のＲＲＨ３０をＣｏＭＰセットとして決定してもよい。または、ＣｏＭＰセット決定部１８０は、ＲＳＲＰが所定値を上回っているＲＲＨ３０をＣｏＭＰセットとして決定してもよい。さらに、ＣｏＭＰセット決定部１８０は、ＲＳＲＰの合計値が所定値に達するようにＲＳＲＰが良好な方から選択されるＲＲＨ３０をＣｏＭＰセットとして決定してもよい。なお、ＣｏＭＰセットはｅＮｏｄｅＢ１０−１を含んでもよいし、含まなくてもよい。
【００６６】
（２−２．ＵＥの構成）
以上、第１の実施形態によるｅＮｏｄｅＢ１０−１およびＲＲＨ３０の構成を説明した。続いて、第１の実施形態によるＵＥ２０−１の構成を説明する。
【００６７】
図１２は、第１の実施形態によるＵＥ２０−１の構成を示した機能ブロック図である。図１２に示したように、ＵＥ２０−１は、アンテナ群２０４と、無線処理部２１０と、ＤＡ／ＡＤ変換部２２０と、ＤＬ信号検出部２３０と、ＵＬ信号検出部２４０と、ＡＢＳ設定位置保持部２５０と、を備える。
【００６８】
アンテナ群２０４は、ｅＮｏｄｅＢ１０−１およびＲＲＨ３０から無線信号を受信して電気的な高周波信号を取得し、高周波信号を無線処理部２１０へ供給する。また、アンテナ群２０４は、無線処理部２１０から供給される高周波信号に基づいて無線信号をｅＮｏｄｅＢ１０−１およびＲＲＨ３０に送信する。ＵＥ２０−１は、このように複数のアンテナからなるアンテナ群２０４を備えるため、ＭＩＭＯ通信やダイバーシティ通信を行うことが可能である。
【００６９】
無線処理部２１０は、増幅、フィルタリング、およびダウンコンバージョンなどのアナログ処理を行うことにより、アンテナ群２０４から供給される高周波信号をベースバンド信号（ダウンリンク信号）に変換する。また、無線処理部２１０は、ＤＡ／ＡＤ変換部２２０から供給されるベースバンド信号（アップリンク信号）を高周波信号に変換する。このように、無線処理部２１０は、アンテナ群２０４と共に、送信部および受信部として機能する。
【００７０】
ＤＡ／ＡＤ変換部２２０は、無線処理部２１０から供給されるアナログ形式のダウンリンク信号をデジタル形式に変換し、ＤＬ信号検出部２３０に供給する。また、ＤＡ／ＡＤ変換部２２０は、ＵＬ信号生成部２４０から供給されるデジタル形式のアップリンク信号をアナログ形式に変換し、無線処理部２１０に供給する。
【００７１】
ＤＬ信号検出部２３０は、ＤＡ／ＡＤ変換部２２０から供給されるダウンリンク信号から、ＰＤＣＣＨのような制御信号や、ＰＤＳＣＨのようなユーザデータを検出する。特に、本実施形態によるＤＬ信号検出部２３０は、ＰＤＣＣＨまたはＰＤＳＣＨからＡＢＳ設定位置を示す情報を抽出する。このＡＢＳ設定位置を示す情報は、ＲＳＲＰの測定位置に該当し、ＡＢＳ設定位置保持部２５０に保持される。また、ＤＬ信号検出部２３０は、ＡＢＳ設定位置保持部２５０に保持されているＡＢＳ設定位置においてＲＳＲＰを測定する測定部としての機能を有する。本実施形態によれば、ｅＮｏｄｅＢ１０−１およびＲＲＨ３０Ａ〜３０Ｆのうちの一部の基地局のみがＡＢＳ設定位置においてＣＲＳを送信するので、ＤＬ信号検出部２３０は、一部の基地局のＲＳＲＰを測定することが可能である。
【００７２】
ＵＬ信号生成部２４０は、ｅＮｏｄｅＢ１０−１および各ＲＲＨ３０に送信するためのアップリンク信号を生成する。具体的には、ＵＬ信号生成部２４０は、ＰＵＣＣＨのような制御信号や、ＰＵＳＣＨのようなユーザデータ信号を生成する。特に、本実施形態によるＵＬ信号生成部２４０は、ＤＬ信号検出部２３０によるＲＳＲＰの測定結果を含むＰＵＣＣＨまたはＰＵＳＣＨを生成する。
【００７３】
（２−３．通信システムの動作）
以上、第１の実施形態によるｅＮｏｄｅＢ１０−１、ＲＲＨ３０およびＵＥ２０−１の構成を説明した。続いて、図１３を参照し、ｅＮｏｄｅＢ１０−１、ＲＲＨ３０およびＵＥ２０−１からなる通信システムの動作を説明する。
【００７４】
図１３は、通信システムの動作を示したフローチャートである。図１３に示したように、まず、ｅＮｏｄｅＢ１０−１のＡＢＳ設定保持部１６０がＡＢＳを設定すると（Ｓ４０４）、ｅＮｏｄｅＢ１０−１はＵＥ２０−１にＡＢＳの設定位置を示す情報をｄｅｄｉｃａｔｅｄシグナリングにより通知する（Ｓ４０８）。ＵＥ２０−１は、ＡＢＳの設定位置を示す情報を受信すると、受信確認をｅＮｏｄｅＢ１０−１に送信する（Ｓ４１２）。
【００７５】
その後、ｅＮｏｄｅＢ１０−１およびＲＲＨ３０は、ＡＢＳの設定位置が到来するまでは通常通り規定の動作を行う（Ｓ４１６、Ｓ４２０）。そして、ＡＢＳの設定位置が到来すると、ＡＢＳが設定されてないＲＲＨ３０のみがデータ領域においてＣＲＳを送信し、他のｅＮｏｄｅＢ１０−１およびＲＲＨ３０はデータ領域においてＣＲＳを送信しない（Ｓ４２４）。
【００７６】
一方、ＵＥ２０−１は、Ｓ４０８において通知された情報に基づき、ＡＢＳの設定位置においてＲＳＲＰを測定する（Ｓ４２８）。そして、ＵＥ２０−１は、ＲＳＲＰの測定結果をｅＮｏｄｅＢ１０−１に送信する（Ｓ４３２）。
【００７７】
その後、ｅＮｏｄｅＢ１０−１は、各ＲＲＨ３０のＲＳＲＰ、または各ＲＲＨ３０のグループのＲＳＲＰが揃うと、各ＲＲＨ３０のＲＳＲＰ、または各ＲＲＨ３０のグループのＲＳＲＰに基づき、ＵＥ２０−１に適するＣｏＭＰセットを決定する（Ｓ４３６）。そして、決定されたＣｏＭＰセットを構成するｅＮｏｄｅＢ１０−１およびＲＲＨ３０がＵＥ２０−１とＣｏＭＰ通信を行う（Ｓ４４０）。具体的には、ｅＮｏｄｅＢ１０−１は、決定したＣｏＭＰセットを構成するＲＲＨ３０にダウンリンク信号を供給し、ＣｏＭＰセットを構成するＲＲＨ３０が供給されたダウンリンク信号をｅＮｏｄｅＢ１０−１と共にＵＥ２０−１に送信する。なお、上記のようにｅＮｏｄｅＢ１０−１がＣｏＭＰセットを構成するＲＲＨ３０にダウンリンク信号を供給すれば当該ＲＲＨ３０からダウンリンク信号が送信されてＣｏＭＰ通信を実現できるので、決定したＣｏＭＰセットをＲＲＨ３０へ通知することは必須ではない。
【００７８】
以上説明したように、本開示の第１の実施形態によれば、各ＲＲＨ３０が同一のＣＲＳを送信する状況においても、各ＲＲＨ３０のＵＥ２０−１におけるＲＳＲＰを測定することができる。このため、ｅＮｏｄｅＢ１０−１は、ＵＥ２０−１における各ＲＲＨ３０のＲＳＲＰに基づき、ＵＥ２０−１に適したＣｏＭＰセットを決定することが可能である。
【００７９】
（２−４．変形例）
なお、上記では、ＡＢＳ設定保持部１６０が異なる無線フレームにおいて異なるＲＲＨ３０にＡＢＳを設定する例について図９などを参照して説明したが、本実施形態はかかる例に限定されない。例えば、ＡＢＳ設定保持部１６０は、図１４を参照して説明するように、同一無線フレーム内の複数のサブフレームにおいて異なるＲＲＨ３０にＡＢＳを設定してもよい。
【００８０】
図１４は、ＡＢＳの設定方法の変形例を示した説明図である。ＡＢＳ設定保持部１６０は、図１４に示したように、同一無線フレームのサブフレーム＃３ではＲＲＨ３０Ａ以外の基地局にＡＢＳを設定し、サブフレーム＃４ではＲＲＨ３０Ｂ以外の基地局にＡＢＳを設定してもよい。この場合、サブフレーム＃３ではＲＲＨ３０Ａのみがデータ領域でＣＲＳを送信するので、ＵＥ２０−１はサブフレーム＃３でＲＲＨ３０ＡのＲＳＲＰを測定できる。同様に、ＵＥ２０−１はサブフレーム＃４でＲＲＨ３０ＢのＲＳＲＰを測定できる。
【００８１】
なお、この変形例においては、ＵＥ２０−１から報告されるＲＳＲＰがどのＲＲＨ３０に関するものであるかをｅＮｏｄｅＢ１０−１が判別できるように、ＵＥ２０−１は、ＲＳＲＰの測定結果と、ＲＳＲＰを測定したサブフレーム番号を対応付けてｅＮｏｄｅＢ１０−１に報告してもよい。
【００８２】
この変形例のように、同一無線フレーム内の複数のサブフレームにおいて異なるＲＲＨ３０にＡＢＳを設定することにより、各ＲＲＨ３０のＲＳＲＰを取得するための時間を短縮することが可能である。
【００８３】
＜３．第２の実施形態＞
以上、本開示の第１の実施形態を説明した。続いて、本開示の第２の実施形態を説明する。第２の実施形態は、各ＲＲＨ３０のＲＳＲＰを、第１の実施形態で説明したＣＲＳでなく、ＣＳＩ−ＲＳと呼ばれるリファレンス信号の測定により取得する。以下では、このＣＳＩ−ＲＳについて説明した後に、第２の実施形態の詳細を説明する。
【００８４】
（３−１．ＣＳＩ−ＲＳについて）
ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）は、ＬＴＥ−Ａｄｖａｎｃｅｄ（Ｒｅｌ１０）で定義されるリファレンス信号である。このＣＳＩ−ＲＳは、データのデモジュレーションのためでなく、チャネル品質の測定のために用いられる。このため、ＣＳＩ−ＲＳは、周波数方向および時間方向に間引かれて比較的まばらに挿入される。例えば、ＣＳＩ−ＲＳの挿入周期は、１０ｍｓのように、５ｍｓ〜８０ｍｓ程度の範囲内で設定可能である。なお、ＣＳＩ−ＲＳの設定（例えば、挿入周期を５ｍｓにするか１０ｍｓにするかなどの設定）はＵＥごとに行えるので、設定（コンフィグレーション）はＵＥ＿Ｓｐｅｃｉｆｉｃと言える。
【００８５】
また、ＣＳＩ−ＲＳには、Ｒｅｌ１０の３６．２１１  ６．１０．５．１章で規定されているように、ｐｓｅｕｄｏ−ｒａｎｄｏｍシーケンスが用いられるが、このランダムシーケンスの初期値がセル（セルＩＤ）ごとに異なる。このため、ＣＳＩ−ＲＳは、本来Ｃｅｌｌ＿ｓｐｅｃｉｆｉｃであるので、ＣＳＩ−ＲＳの送信元の基地局をＵＥにおいて判別することが可能である。
【００８６】
しかし、各ＲＲＨ３０が同一のセルＩＤを有する場合、各ＲＲＨ３０が送信するＣＳＩ−ＲＳも同一になってしまう。また、ＣＳＩ−ＲＳの挿入周期はセルごとに設定できるが、各ＲＲＨ３０が同一のセルＩＤを有する場合、各ＲＲＨ３０のＣＳＩ−ＲＳの挿入周期（タイミング）も同一になってしまう。このため、ＵＥにより測定されたＣＳＩ−ＲＳの送信元のＲＲＨ３０を判別すること、および、ＵＥに適するＣｏＭＰセットを決定することが困難であった。
【００８７】
本開示の第２の実施形態は、上記事情を一着眼点にしてなされた技術である。本開示の第２の実施形態によれば、ＵＥにより受信されたＣＳＩ−ＲＳの送信元のＲＲＨ３０を判別することが可能となる。以下、このような本開示の第２の実施形態について詳細に説明する。
【００８８】
（３−２．基地局の構成）
図１５は、本開示の第２の実施形態によるｅＮｏｄｅＢ１０−２およびＲＲＨ３０の構成を示した機能ブロック図である。図１５に示したように、各ＲＲＨ３０は、第１の実施形態と同様に、ｅＮｏｄｅＢ１０−２から光ファイバーを介して供給されるダウンリンク信号を第２の実施形態によるＵＥ２０−２に送信する。また、各ＲＲＨ３０は、ＵＥ２０−２から受信されたアップリンク信号をｅＮｏｄｅＢ１０−２に光ファイバーを介して供給する。なお、各ＲＲＨ３０は、ｅＮｏｄｅＢ１０−２と同一のセルＩＤを有し、同一のＣｅｌｌ−ｓｐｅｃｉｆｉｃなリファレンス信号（例えば、ＣＳＩ−ＲＳ）を送信する。
【００８９】
また、第２の実施形態によるｅＮｏｄｅＢ１０−２は、図１５に示したように、アンテナ群１０４と、無線処理部１１０と、ＤＡ／ＡＤ変換部１２０と、ＵＬ（アップリンク）信号検出部１３０と、スケジューラ１４０と、ＤＬ（ダウンリンク）信号生成部１５０と、ＣＳＩ−ＲＳ周期設定保持部１６２と、ＲＳＲＰ保持部１７２と、ＣｏＭＰセット決定部１８２と、を備える。アンテナ群１０４、無線処理部１１０、およびＤＡ／ＡＤ変換部１２０については第１の実施形態で説明したので、ここでの詳細な説明を省略する。
【００９０】
ＵＬ信号検出部１３０は、ＤＡ／ＡＤ変換部１２０から供給されるアップリンク信号から、ＰＵＣＣＨのような制御信号や、ＰＵＳＣＨのようなユーザデータを検出する。特に、本実施形態によるＵＬ信号検出部１３０は、ＤＡ／ＡＤ変換部１２０から供給されるアップリンク信号から、ＵＥ２０−２におけるＣＳＩ−ＲＳ測定により得られたＲＳＲＰの測定結果を検出する。なお、ＲＳＲＰの測定結果は、ＰＵＳＣＨに含まれていてもよい。
【００９１】
スケジューラ１４０は、ｅＮｏｄｅＢ１０−２、各ＲＲＨ３０およびＵＥ２０−２が通信するためのリソースをスケジューリングする。特に、本実施形態によるスケジューラ１４０は、ＣＳＩ−ＲＳ周期設定保持部１６２により設定されているＣＳＩ−ＲＳの挿入周期に従ってスケジューリングを行う。また、スケジューラ１４０は、ＣｏＭＰセット決定部１８０によって決定されたＵＥ２０−２に対するＣｏＭＰセットを用いてＵＥ２０−２との通信をスケジューリングする。
【００９２】
ＤＬ信号生成部１５０は、ｅＮｏｄｅＢ１０−２および各ＲＲＨ３０から送信するためのダウンリンク信号を生成する。具体的には、ＤＬ信号生成部１５０は、スケジューラ１４０によるスケジューリングに従い、ＰＤＣＣＨおよびＰＤＳＣＨなどを生成する。さらに、本実施形態によるＤＬ信号生成部１５０は、ｅＮｏｄｅＢ１０−２および各ＲＲＨ３０について、ＣＳＩ−ＲＳ周期設定保持部１６２により設定された周期に従ってＣＳＩ−ＲＳを挿入する。なお、ＰＤＣＣＨまたはＰＤＳＣＨは、ＣＳＩ−ＲＳ周期設定保持部１６２により設定されたＣＳＩ−ＲＳの挿入周期に関する情報を含んでもよい。
【００９３】
ＣＳＩ−ＲＳ周期設定保持部１６２は、ｅＮｏｄｅＢ１０−２および各ＲＲＨ３０について、ＣＳＩ−ＲＳの挿入周期を設定する。例えば、ＣＳＩ−ＲＳ周期設定保持部１６２は、ｅＮｏｄｅＢ１０−２および各ＲＲＨ３０に異なる挿入周期（挿入タイミング）を設定する。これにより、あるタイミングにおいてＵＥ２０−２がＣＳＩ−ＲＳを受信した場合、このＣＳＩ−ＲＳの送信元を特定することが可能となる。以下、図１６を参照し、ＣＳＩ−ＲＳの挿入周期についてより具体的に説明する。
【００９４】
図１６は、ＣＳＩ−ＲＳの挿入周期の具体例を示した説明図である。図１６に示したように、ＣＳＩ−ＲＳ周期設定保持部１６２は、ｅＮｏｄｅＢ１０−２および各ＲＲＨ３０のうちの一部の基地局のみがＣＳＩ−ＲＳを送信するタイミングが生じるようにＣＳＩ−ＲＳの挿入周期を設定する。
【００９５】
例えば、ＣＳＩ−ＲＳ周期設定保持部１６２は、図１６に示したように、ｔ１、ｔ３、ｔ５、ｔ７、というＣＳＩ−ＲＳの挿入周期をｅＮｏｄｅＢ１０−２に設定し、ｔ２、ｔ４、というＣＳＩ−ＲＳの挿入周期をＲＲＨ３０Ａに設定する。このため、ｔ２およびｔ４においてはＲＲＨ３０ＡのみがＣＳＩ−ＲＳを送信する。同様に、ＣＳＩ−ＲＳ周期設定保持部１６２は、ｔ６、ｔ８、というＣＳＩ−ＲＳの挿入周期をＲＲＨ３０Ｂに設定する。このため、ｔ６およびｔ８においてはＲＲＨ３０ＢのみがＣＳＩ−ＲＳを送信する。同様に、各ＲＲＨ３０にｅＮｏｄｅＢ１０−２と異なるＣＳＩ−ＲＳの挿入周期を設定することにより、各ＲＲＨ３０のみがＣＳＩ−ＲＳを送信するタイミングを生じさせることができる。
【００９６】
なお、図１６においては、ｔ１、ｔ３、ｔ５、ｔ７、というＣＳＩ−ＲＳの挿入周期をｅＮｏｄｅＢ１０−２のみに設定する例を示しているが、各ＲＲＨ３０にもこのＣＳＩ−ＲＳの挿入周期を設定してもよい。この場合、Ｒｅｌ１０までのＵＥは、複数のＲＲＨ３０からＣＳＩ−ＲＳをｔ１、ｔ３、ｔ５、ｔ７、という同一周期で受信し、各ＣＳＩ−ＲＳの送信元を区別することなくチャネルを取得する。一方、Ｒｅｌ１１以降のＵＥ２０−２は、複数の周期をＣＳＩ−ＲＳの受信周期として設定することにより、各ＲＲＨ３０のみが送信するタイミングでＣＳＩ−ＲＳを受信することが可能である。すなわち、第２の実施形態によるＣＳＩ−ＲＳの設定方法は、既存のＵＥとの互換性を確保することも可能である。
【００９７】
また、上記では、ＲＲＨ３０ごとに異なるＣＳＩ−ＲＳの挿入周期を設定する例を説明したが、本実施形態はかかる例に限定されない。例えば、ＣＳＩ−ＲＳ周期設定保持部１６２は、ＲＲＨ３０Ａ〜３０Ｆを２以上のグループにグループ化し、同一グループを構成するＲＲＨ３０には同一のＣＳＩ−ＲＳの挿入周期を設定してもよい。以下、図１７を参照してより具体的に説明する。
【００９８】
図１７は、ＲＲＨ３０をグループ化した場合のＣＳＩ−ＲＳの挿入周期の設定例を示した説明図である。図１７に示したように、ＣＳＩ−ＲＳ周期設定保持部１６２は、ＲＲＨ３０Ａ〜３０Ｆを、ＲＲＨ３０Ａ〜３０Ｃからなるグループと、ＲＲＨ３０Ｄ〜３０Ｆからなるグループにグループ分けしてもよい。この場合、ＣＳＩ−ＲＳ周期設定保持部１６２は、ｔ２、ｔ４、というＣＳＩ−ＲＳの挿入周期をＲＲＨ３０Ａ〜３０Ｃからなるグループに設定することにより、ｔ２およびｔ４においてはＲＲＨ３０Ａ〜３０ＣからのみＣＳＩ−ＲＳを送信させることができる。
【００９９】
同様に、ＣＳＩ−ＲＳ周期設定保持部１６２は、ｔ６、ｔ８、というＣＳＩ−ＲＳの挿入周期をＲＲＨ３０Ｄ〜３０Ｆからなるグループに設定することにより、ｔ６およびｔ８においてはＲＲＨ３０Ｄ〜３０ＦからのみＣＳＩ−ＲＳを送信させることができる。これにより、例えば、ＵＥ２０−２におけるＲＳＲＰの測定結果が良好だった方のグループをＣｏＭＰセットとして決定することが可能となる。
【０１００】
さらに、ＣＳＩ−ＲＳ周期設定保持部１６２は、ＵＥ２０−２におけるＲＳＲＰの測定結果が良好だった方のグループが判別した後、当該グループを構成する各ＲＲＨ３０のＲＳＲＰを取得できるようにＣＳＩ−ＲＳの挿入周期を設定してもよい。かかる構成によれば、ＵＥ２０−２におけるＲＳＲＰが良好なＲＲＨ３０を段階的に特定していくことができるので、所要時間や効率の観点から効果的である。
【０１０１】
ここで、図１５を参照してｅＮｏｄｅＢ１０−２の構成の説明に戻ると、ＲＳＲＰ保持部１７２は、ＵＬ信号検出部１３０によって検出されたＵＥ２０−２におけるＲＳＲＰの測定結果を、ＵＥ２０−２による測定タイミング（例えば、無線フレーム番号および／またはサブフレーム番号）を対応付けて保持する。
【０１０２】
ＣｏＭＰセット決定部１８２は、各ＵＥ２０−２とＣｏＭＰを行うためのＣｏＭＰセットを決定する。具体的には、ＣｏＭＰセット決定部１８２は、ＲＳＲＰ保持部１７２に保持された各無線フレームにおけるＲＳＲＰがどのＲＲＨ３０のＲＳＲＰであるかを、ＣＳＩ−ＲＳ周期設定保持部１６２に保持されている基地局ごとの設定情報と照合することにより判断する。そして、ＣｏＭＰセット決定部１８２は、各ＲＲＨ３０のＲＳＲＰに基づいてＵＥ２０−２に適するＣｏＭＰセットを決定する。
【０１０３】
例えば、ＣｏＭＰセット決定部１８２は、ＲＳＲＰが良好な方から所定数のＲＲＨ３０をＣｏＭＰセットとして決定してもよい。または、ＣｏＭＰセット決定部１８２は、ＲＳＲＰが所定値を上回っているＲＲＨ３０をＣｏＭＰセットとして決定してもよい。さらに、ＣｏＭＰセット決定部１８２は、ＲＳＲＰの合計値が所定値に達するようにＲＳＲＰが良好な方から選択されるＲＲＨ３０をＣｏＭＰセットとして決定してもよい。なお、ＣｏＭＰセットはｅＮｏｄｅＢ１０−２を含んでもよいし、含まなくてもよい。
【０１０４】
（３−３．ＵＥの構成）
以上、第２の実施形態によるｅＮｏｄｅＢ１０−２およびＲＲＨ３０の構成を説明した。続いて、第２の実施形態によるＵＥ２０−２の構成を説明する。
【０１０５】
図１８は、第２の実施形態によるＵＥ２０−２の構成を示した機能ブロック図である。図１８に示したように、ＵＥ２０−２は、アンテナ群２０４と、無線処理部２１０と、ＤＡ／ＡＤ変換部２２０と、ＤＬ信号検出部２３０と、ＵＬ信号検出部２４０と、ＣＳＩ−ＲＳ周期保持部２５２と、を備える。アンテナ群２０４、無線処理部２１０、およびＤＡ／ＡＤ変換部２２０については第１の実施形態で説明したので、ここでの詳細な説明を省略する。
【０１０６】
ＤＬ信号検出部２３０は、ＤＡ／ＡＤ変換部２２０から供給されるダウンリンク信号から、ＰＤＣＣＨのような制御信号や、ＰＤＳＣＨのようなユーザデータを検出する。特に、本実施形態によるＤＬ信号検出部２３０は、ＰＤＣＣＨまたはＰＤＳＣＨからＣＳＩ−ＲＳの挿入周期を示す情報を抽出する。このＣＳＩ−ＲＳの挿入周期を示す情報は、ＲＳＲＰの測定位置に該当し、ＣＳＩ−ＲＳ周期保持部２５２に保持される。また、ＤＬ信号検出部２３０は、ＣＳＩ−ＲＳ周期保持部２５２に保持されているＣＳＩ−ＲＳの挿入周期においてＲＳＲＰを測定する。本実施形態によれば、ｅＮｏｄｅＢ１０−２およびＲＲＨ３０Ａ〜３０Ｆのうちの一部の基地局のみがＣＳＩ−ＲＳの挿入周期においてＣＳＩ−ＲＳを送信するので、ＤＬ信号検出部２３０は、一部の基地局のＲＳＲＰを測定することが可能である。
【０１０７】
ＵＬ信号生成部２４０は、ｅＮｏｄｅＢ１０−２および各ＲＲＨ３０に送信するためのアップリンク信号を生成する。具体的には、ＵＬ信号生成部２４０は、ＰＵＣＣＨのような制御信号や、ＰＵＳＣＨのようなユーザデータ信号を生成する。特に、本実施形態によるＵＬ信号生成部２４０は、ＤＬ信号検出部２３０によるＲＳＲＰの測定結果を含むＰＵＣＣＨまたはＰＵＳＣＨを生成する。
【０１０８】
（３−４．通信システムの動作）
以上、第２の実施形態によるｅＮｏｄｅＢ１０−２、ＲＲＨ３０およびＵＥ２０−２の構成を説明した。続いて、図１９を参照し、ｅＮｏｄｅＢ１０−２、ＲＲＨ３０およびＵＥ２０−２からなる通信システムの動作を説明する。
【０１０９】
図１９は、通信システムの動作を示したフローチャートである。図１９に示したように、まず、ｅＮｏｄｅＢ１０−２のＣＳＩ−ＲＳ周期設定保持部１６２が各ＲＲＨ３０についてＣＳＩ−ＲＳの挿入周期を設定すると（Ｓ５０４）、ｅＮｏｄｅＢ１０−２はＵＥ２０−２にＣＳＩ−ＲＳの挿入周期を示す情報をｄｅｄｉｃａｔｅｄシグナリングにより通知する（Ｓ５０８）。ＵＥ２０−２は、ＣＳＩ−ＲＳの挿入周期を示す情報を受信すると、受信確認をｅＮｏｄｅＢ１０−２に送信する（Ｓ５１２）。
【０１１０】
その後、ｅＮｏｄｅＢ１０−２およびＲＲＨ３０は、ＣＳＩ−ＲＳの挿入周期が到来するまでは通常通り規定の動作を行う（Ｓ５１６、５４２０）。そして、ＣＳＩ−ＲＳの挿入周期が到来すると、到来した挿入周期が設定されているＲＲＨ３０のみからＣＳＩ−ＲＳを送信する（Ｓ５２４）。
【０１１１】
一方、ＵＥ２０−２は、Ｓ５０８において通知された情報に基づき、ＣＳＩ−ＲＳの挿入周期においてＲＳＲＰを測定する（Ｓ５２８）。そして、ＵＥ２０−２は、ＲＳＲＰの測定結果をｅＮｏｄｅＢ１０−２に送信する（Ｓ５３２）。
【０１１２】
その後、ｅＮｏｄｅＢ１０−２は、各ＲＲＨ３０のＲＳＲＰ、または各ＲＲＨ３０のグループのＲＳＲＰが揃うと、各ＲＲＨ３０のＲＳＲＰ、または各ＲＲＨ３０のグループのＲＳＲＰに基づき、ＵＥ２０−２に適するＣｏＭＰセットを決定する（Ｓ５３６）。そして、決定されたＣｏＭＰセットを構成するｅＮｏｄｅＢ１０−２およびＲＲＨ３０がＵＥ２０−２とＣｏＭＰ通信を行う（Ｓ５４０）。具体的には、ｅＮｏｄｅＢ１０−２は、決定したＣｏＭＰセットを構成するＲＲＨ３０にダウンリンク信号を供給し、ＣｏＭＰセットを構成するＲＲＨ３０が供給されたダウンリンク信号をｅＮｏｄｅＢ１０−２と共にＵＥ２０−２に送信する。なお、上記のようにｅＮｏｄｅＢ１０−２がＣｏＭＰセットを構成するＲＲＨ３０にダウンリンク信号を供給すれば当該ＲＲＨ３０からダウンリンク信号が送信されてＣｏＭＰ通信を実現できるので、決定したＣｏＭＰセットをＲＲＨ３０へ通知することは必須ではない。
【０１１３】
以上説明したように、本開示の第２の実施形態によれば、各ＲＲＨ３０が同一のＣＳＩ−ＲＳを送信する状況においても、各ＲＲＨ３０のＵＥ２０−２におけるＲＳＲＰを測定することができる。このため、ｅＮｏｄｅＢ１０−２は、ＵＥ２０−２における各ＲＲＨ３０のＲＳＲＰに基づき、ＵＥ２０−２に適したＣｏＭＰセットを決定することが可能である。
【０１１４】
（３−５．第１の変形例）
なお、上記では、ＣＳＩ−ＲＳ周期設定保持部１６２が異なる時間範囲において異なるＲＲＨ３０にＣＳＩ−ＲＳの挿入周期を設定する例について図１６などを参照して説明したが、本実施形態はかかる例に限定されない。例えば、ＣＳＩ−ＲＳ周期設定保持部１６２は、図２０に示したように、重複する時間範囲内において異なるＲＲＨ３０に異なるＣＳＩ−ＲＳの挿入周期を設定してもよい。
【０１１５】
この場合、ＵＥ２０−２から報告されるＲＳＲＰがどのＲＲＨ３０に関するものであるかをｅＮｏｄｅＢ１０−２が判別できるように、ＵＥ２０−２は、ＲＳＲＰの測定結果と、ＲＳＲＰの測定周期を対応付けてｅＮｏｄｅＢ１０−２に報告してもよい。
【０１１６】
この第１の変形例のように、重複する時間範囲内において異なるＲＲＨ３０に異なるＣＳＩ−ＲＳの挿入周期を設定することにより、各ＲＲＨ３０のＲＳＲＰを取得するための時間を短縮することが可能である。
【０１１７】
（３−６．第２の変形例）
ところで、Ｒｅｌ１０では、隣接セルのＣＳＩ−ＲＳの受信がサービング基地局からの高電力のＰＤＳＣＨなどによって妨げられてしまう実情に鑑みて、ＣＳＩ−ＲＳのＭｕｔｉｎｇという技術も規格化されている。このＭｕｔｉｎｇは、隣接セルのＣＳＩ−ＲＳの送信位置に対応するリソースブロックでサービング基地局からの送信を停止させるという技術である。実際には、隣接説のＣＳＩ−ＲＳの送信位置だけでなく、この送信位置の周囲のＰＤＳＣＨの送信も停止されると考えられる。要すると、ＣＳＩ−ＲＳのＭｕｔｉｎｇは、隣接セルのＣＳＩ−ＲＳをサービング基地局のＰＤＳＣＨによる干渉から保護するための技術である。
【０１１８】
そこで、第２の変形例では、このＣＳＩ−ＲＳのＭｕｔｉｎｇを改良したＣＳＩ−ＲＳ＋Ｅｎｈａｎｃｅｄ＿Ｍｕｔｉｎｇという方法で、上述の第２の実施形態と同様に、ＵＥ２０−２により受信されたＣＳＩ−ＲＳの送信元のＲＲＨ３０を判別することを可能とする。
【０１１９】
具体的には、ｅＮｏｄｅＢ１０−２および各ＲＲＨ３０のＣＳＩ−ＲＳの挿入周期が同一である状況において、ｅＮｏｄｅＢ１０−２が、一部のＲＲＨ３０以外のＲＲＨ３０からのＣＳＩ−ＲＳをＭｕｔｉｎｇする。これにより、複数のＲＲＨのうちの一部のＲＲＨ３０のみがＣＳＩ−ＲＳを送信するので、ＵＥ２０−２により受信されたＣＳＩ−ＲＳの送信元のＲＲＨ３０を判別することが可能となる。以下、図２１を参照してより詳細に説明する。
【０１２０】
図２１は、第２の変形例によるＣＳＩ−ＲＳ＋Ｅｎｈａｎｃｅｄ＿Ｍｕｔｉｎｇを示した説明図である。図２１に示したように、期間Ｐ１においてはＲＲＨ３０Ａ以外のＲＲＨ３０からのＣＳＩ−ＲＳがＭｕｔｉｎｇされる。したがって、ＵＥ２０−２によって期間Ｐ１に受信されたＣＳＩ−ＲＳの送信元をＲＲＨ３０Ａに特定することができる。
【０１２１】
また、期間Ｐ２においてはＲＲＨ３０Ｂ以外のＲＲＨ３０からのＣＳＩ−ＲＳがＭｕｔｉｎｇされるので、この期間Ｐ２にＵＥ２０−２によって受信されたＣＳＩ−ＲＳの送信元をＲＲＨ３０Ｂに特定することができる。また、期間Ｐ３においてはＲＲＨ３０Ｃ以外のＲＲＨ３０からのＣＳＩ−ＲＳがＭｕｔｉｎｇされるので、この期間Ｐ３にＵＥ２０−２によって受信されたＣＳＩ−ＲＳの送信元をＲＲＨ３０Ｃに特定することができる。
【０１２２】
なお、この変形例２においては、ｅＮｏｄｅＢ１０−２は事前に単一のＣＳＩ−ＲＳ周期をＵＥ２０−２に通知し、ＵＥ２０−２はこのＣＳＩ−ＲＳ周期においてＲＳＲＰを測定し、測定結果をｅＮｏｄｅＢ１０−２に報告すればよい。これにより、ｅＮｏｄｅＢ１０−２は、ＵＥ２０−２から報告されるＲＳＲＰの測定結果に基づいてＵＥ２０−２に適切なＣｏＭＰセットを決定することが可能となる。
【０１２３】
＜４．むすび＞
以上説明したように、本開示の実施形態によれば、各ＲＲＨ３０が同一のセルＩＤに基づいて動作する状況においても、各ＲＲＨ３０のＵＥ２０におけるＲＳＲＰを測定することができる。したがって、ｅＮｏｄｅＢ１０は、ＵＥ２０における各ＲＲＨ３０のＲＳＲＰに基づき、ＵＥ２０に適したＣｏＭＰセットを決定することができる。その結果、ＵＥ２０の受信品質の向上にさほど寄与しないＲＲＨ３０からの送信を回避できるので、システムスループットの向上や、消費電力の削減を実現することが可能となる。
【０１２４】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２５】
例えば、上記では、ＵＥ２０によるリファレンス信号のＲＳＲＰの測定結果に基づいてＣｏＭＰセットを決定する例を説明したが、本開示の技術的範囲はかかる例に限定されない。変形例として、ＵＥ２０は、各ＲＲＨ３０から送信される信号のエラー発生率のような受信品質を示す指標をｅＮｏｄｅＢ１０にフィードバックし、ｅＮｏｄｅＢ１０は、当該指標に基づいてＣｏＭＰセットを決定してもよい。
【０１２６】
また、本明細書のｅＮｏｄｅＢ１０およびＵＥ２０の処理における各ステップは、必ずしもシーケンス図として記載された順序に沿って時系列に処理する必要はない。例えば、ｅＮｏｄｅＢ１０およびＵＥ２０の処理における各ステップは、シーケンス図として記載した順序と異なる順序で処理されても、並列的に処理されてもよい。
【０１２７】
また、ｅＮｏｄｅＢ１０およびＵＥ２０に内蔵されるＣＰＵ、ＲＯＭおよびＲＡＭなどのハードウェアを、上述したｅＮｏｄｅＢ１０およびＵＥ２０の各構成と同等の機能を発揮させるためのコンピュータプログラムも作成可能である。また、該コンピュータプログラムを記憶させた記憶媒体も提供される。
【０１２８】
また、以下のような構成も本開示の技術的範囲に属する。
（１）
同一のセルＩＤを有する複数の基地局のうちの一部の基地局のみから特定の信号を送信するタイミングを示す情報を受信する受信部と、
前記タイミングにおける受信電力を測定する測定部と、
前記測定部による測定結果を送信する送信部と、
を備える、通信装置。
（２）
前記送信部は、前記測定部による前記測定結果を、前記測定部が測定を行ったタイミングを示す情報と共に送信する、前記（１）に記載の通信装置。
（３）
前記特定の信号は、ＰＤＳＣＨ（Ｐｈｙｓｉｃａｌ  Ｄｏｗｎ  Ｌｉｎｋ  ｓｈａｒｅｄ  ＣＨａｎｎｅｌ）が送信されるデータ領域内のリファレンス信号である、前記（１）または（２）に記載の通信装置。
（４）
前記特定の信号は、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）である、前記（１）または（２）に記載の通信装置。
（５）
前記複数の基地局は、ＲＲＨ（Ｒｅｍｏｔｅ  Ｒａｄｉｏ  Ｈｅｄ）基地局を含む、前記（１）〜（４）のいずれか一項に記載の通信装置。
（６）
同一のセルＩＤを有する複数の基地局のうちの一部の基地局のみから特定の信号を送信するタイミングを示す情報を受信することと、
前記タイミングにおける受信電力を測定することと、
前記受信電力の測定結果を送信することと、
を含む、通信方法。
（７）
コンピュータを、
同一のセルＩＤを有する複数の基地局のうちの一部の基地局のみから特定の信号を送信するタイミングを示す情報を受信する受信部と、
前記タイミングにおける受信電力を測定する測定部と、
前記測定部による測定結果を送信する送信部と、
として機能させるための、プログラム。
（８）
同一のセルＩＤを有する複数の基地局のうちの一部の基地局のみから特定の信号を送信するタイミングを設定する設定部を有する通信制御装置と、
前記タイミングを示す情報を受信する受信部、
前記タイミングにおける受信電力を測定する測定部、および、
前記測定部による測定結果を送信する送信部、
を有する通信装置と、
を備え、
前記通信制御装置は、さらに、前記通信装置からの測定結果に基づき、前記通信装置へ信号を送信するために用いる基地局の組合せを前記複数の基地局から決定する決定部を有する、通信システム。
【符号の説明】
【０１２９】
１０、１０−１、１０−２  ｅＮｏｄｅＢ
１２    コアネットワーク
２０、２０−１、２０−２  ＵＥ
３０    ＲＲＨ
１０４、２０４、３０４  アンテナ群
１１０、２１０、３１０  無線処理部
１２０、２２０  ＤＡ／ＡＤ変換部
１３０  ＵＬ信号検出部
１４０  スケジューラ
１５０  ＤＬ信号生成部
１６０  ＡＢＳ設定保持部
１６２  ＣＳＩ−ＲＳ周期設定保持部
１７０、１７２  ＲＳＲＰ保持部
１８０、１８２  ＣｏＭＰセット決定部
２３０  ＤＬ信号検出部
２４０  ＵＬ信号生成部
２５０  ＡＢＳ設定位置保持部
２５２  ＣＳＩ―ＲＳ周期保持部
【図１】
0005978566.tif 000002
【図２】
0005978566.tif 000003
【図３】
0005978566.tif 000004
【図４】
0005978566.tif 000005
【図５】
0005978566.tif 000006
【図６】
0005978566.tif 000007
【図７】
0005978566.tif 000008
【図８】
0005978566.tif 000009
【図９】
0005978566.tif 000010
【図１０】
0005978566.tif 000011
【図１１】
0005978566.tif 000012
【図１２】
0005978566.tif 000013
【図１３】
0005978566.tif 000014
【図１４】
0005978566.tif 000015
【図１５】
0005978566.tif 000016
【図１６】
0005978566.tif 000017
【図１７】
0005978566.tif 000018
【図１８】
0005978566.tif 000019
【図１９】
0005978566.tif 000020
【図２０】
0005978566.tif 000021
【図２１】
0005978566.tif 000022